(57)【特許請求の範囲】
【請求項１】
立壁状の背面部と、この背面部の下方に連続して形成される底面部と、からなるボウル部と、
上記ボウル部の上記背面部へ洗浄水を吐水する吐水部と、
上記ボウル部の上記底面部に開口した排水口と、
上記排水口の上方を覆うように載置される目皿と、を有する小便器において、
上記底面部の上記排水口の周囲には上記目皿を載置するための目皿載置部が設けられ、
上記目皿載置部の上記背面部側には、上記目皿の前方よりも該目皿と上記目皿載置部との隙間から洗浄水が上記排水口へ流出することを抑制する上方に凸設されたリブが設けられていることを特徴とする小便器。
【発明の詳細な説明】
【技術分野】
【０００１】
本発明は、小便器に係わり、特に、小便器の排水口に載置される目皿に関する。
【背景技術】
【０００２】
従来、水洗式の小便器には、排水管からの異臭の逆流や害虫等の侵入を防止する目的として、排水口に着脱可能な目皿を被せて使用されているものが多い。この着脱式の目皿は通常、小便器本体と同じ陶器からなり、清掃時に手を滑らせて落としたりして、目皿の一部を破損させてしまうことがあった。そのため最近では、目皿の破損を防止するために特許文献１に開示されているメラミン樹脂製の目皿や、ポリブチレンテレフタレート樹脂製
の目皿も利用されている。
【０００３】
しかしながら、特許文献１のように目皿が樹脂からなり撥水性を有する場合は、洗浄水が目皿上面を通過する際に幅の小さな流れになってしまい、目皿上面において洗浄されない部分（不洗浄部）が生じてしまうという問題があった。また、最近は省エネ（節水）の需要から洗浄水量が従来のものより少量になってきており、このような問題が顕著に表れるようになってきている。
【先行技術文献】
【特許文献】
【０００４】
【特許文献１】特開平８−４１９５５号公報
【発明の概要】
【発明が解決しようとする課題】
【０００５】
本発明は、上記のような従来の問題に鑑みなされたものであって、目皿上面において不洗浄部が生じにくく、洗浄性能が良好な小便器を提供することを目的とする。
【課題を解決するための手段】
【０００６】
上記のような課題を解決するために、本発明は、以下のような手段を採用している。すなわち、本発明の小便器は、立壁状の背面部と、この背面部の下方に連続して形成される底面部と、からなるボウル部と、上記ボウル部の上記背面部へ洗浄水を吐水する吐水部と、上記ボウル部の上記底面部に開口した排水口と、上記排水口の上方を覆うように載置される目皿と、を有する小便器において、上記底面部の上記排水口の周囲には上記目皿を載置するための目皿載置部が設けられ、上記目皿載置部の上記背面部側には、上記目皿の前方よりも該目皿と上記目皿載置部との隙間から洗浄水が上記排水口へ流出することを抑制する上方に凸設されたリブが設けられていることを特徴としている。
このように構成された本発明においては、洗浄水が目皿と目皿載置部の隙間から排水口側へ流出することを抑制することができ、目皿上面を通過する洗浄水の水量を増加させることができる。したがって、洗浄水が目皿上面全体に行き渡りやすくなり、目皿上面において不洗浄部が生じにくくなる。
【０００７】
また、このように構成された本発明においては、簡易な構造で洗浄水の流出を抑制することができ、洗浄水が目皿上面全体に行き渡りやすくなる。したがって、目皿上面において不洗浄部が生じにくくなる。
【発明の効果】
【０００８】
本発明の小便器によれば、洗浄水がボウル部の背面部から、底面部に流れ込む際に、リブは、目皿と目皿載置部の背面部側の隙間に流入した洗浄水が、目皿と目皿載置部の背面部側の隙間から排水口へ流出するのを抑制することができ、かつ、洗浄水がリブに衝突することで、洗浄水の流れを上向に変え、洗浄水を目皿と目皿載置部の隙間から目皿の上面を通過する洗浄水の流れへと合流させることができる。そのため、洗浄水が目皿上面全体に行き渡りやすくなり、目皿上面において不洗浄部が生じにくくなる。
【図面の簡単な説明】
【０００９】
【図１】本発明の実施形態の小便器の正面図
【図２】本発明の実施形態の小便器の平面図
【図３】図２のＡ−Ａ部分断面図
【図４】図３の部分拡大図
【図５】本発明の実施形態の小便器において目皿を取り外した平面図
【図６】（ａ）本発明の実施形態の目皿の平面図  （ｂ）本発明の実施形態の目皿の側面図
【発明を実施するための形態】
【００１０】
以下、添付図面により、本発明の実施形態の小便器を説明する。
まず、図１乃至図５を参照して、本発明の実施形態の小便器を説明する。図１は本発明の実施形態の小便器の正面図を示し、図２は平面図、図３は図２のＡ−Ａ部分断面図を示す。また、図４は図３の部分拡大図を示し、図５は本発明の実施形態の小便器において目皿を取り外した平面図を示す。
【００１１】
図１乃至図３に示すように、本発明の実施形態の小便器１は、使用者の排泄物等を受けるボウル部３と、このボウル部３を構成する背面部２と、背面部２の下方に連続して形成される底面部８と、底面部８の周囲を取り囲む側面部５及び前面部１２と、底面部８に配置された排水口１６と、排水口１６に連通するトラップ流路１８と、を有している。また、ボウル部３の背面部２の上方にはボウル部３に洗浄水を吐水する吐水部６が設けられ、外部の給水源（図示せず）から給水管４を介して洗浄水が供給される。
【００１２】
また、図３に示すように、ボウル部３の底面部８に配置された排水口１６には、上方を覆うように目皿１０が載置され、ボウル部３の排水口１６の周囲にはその目皿１０を載置するための目皿載置部１３が設けられている。そして、この目皿載置部１３の背面部２側には、上方に凸設するリブ１４が設けられ、目皿１０の背面部側はこのリブ１４に当接している。なお、このリブ１４は、洗浄水流出抑制手段であり、洗浄水が目皿１０と目皿載置部１３との間から流出するのを抑制している。このリブ１４の働きについては、後述で説明する。
【００１３】
図５に示すように、リブ１４は、目皿載置部１３の背面部２側において略直線状に設けられている。なお、本実施形態において、リブ１４は略直線状に設けられているが、本発明はこれに限られるものではなく、洗浄水の流れや量を考慮して、例えば排水口１６を取り囲むように半円状に設けても良い。
【００１４】
次に、図６により本実施形態の目皿について詳細を説明する。図６（ａ）は本発明の実施形態の目皿の平面図、図６（ｂ）は本発明の実施形態の目皿の側面図を示す。
図６（ａ）、図６（ｂ）に示すように、目皿１０は、板状に形成された目皿上面部２０と、この目皿上面部２０の下面から突出して形成される筒状の袴部２６と、目皿上面部２０の上面の左右方向略中央に形成される着脱操作部２２と、この着脱操作部２２に形成される貫通孔２４と、を有している。なお、目皿１０において、目皿上面部２０、着脱操作部２２および袴部２６は何れも合成樹脂等の撥水性を有した材料からなり、一体成形されている。
【００１５】
目皿上面部２０は、平面視において後側、すなわち小便器のボウル部３の背面部２側から前面部１２側（前側）へと緩やかに左右方向の幅が拡大するよう形成されている。そして、前端部では円弧形状になっている。また、側面視においては、後側から前側に向かって、下方に傾斜するよう形成されている。
【００１６】
着脱操作部２２の貫通孔２４は、使用者が目皿１０を取り外す際にフック等を掛けるためのものであり、清掃等のメンテナンスを容易に行うことができるようになっている。
【００１７】
袴部２６は、略円筒形状に形成されており、排水口１６の周囲に形成された略円形状のトラップ流路１８に挿入できるようになっている。このような構成とすることで、目皿１０を目皿載置部１３に載置した際に、袴部２６と目皿上面部２０により排水口１６を塞ぎ、異臭の逆流や害虫等の侵入を防止することができる。
【００１８】
以下、図４を参照しながら上記実施形態の小便器に洗浄水を流した場合の洗浄水の流れについて説明する。
使用者が図示しないフラッシュバルブ等の給水源に対して洗浄開始操作を行うと、ボウル部３の背面部２に設けられた吐水部６から洗浄水が吐水され、吐水された洗浄水はボウル部３の背面部２を伝って流下する。この背面部２を伝う洗浄水は、その後、底面部８に流れ込む。その際、洗浄水の一部は目皿１０と目皿載置部１３の隙間に流入するが（矢印Ｘの流れ）、目皿載置部１３に設けられたリブ１４に衝突し上向きの流れとなる（矢印Ｙの流れ）。その結果、目皿１０と目皿載置部１３との隙間に流入した洗浄水は、目皿１０上面を通過する洗浄水に合流することとなる。その後、洗浄水は目皿１０の上面を通過し目皿１０の前側へと流れる。そして、目皿１０と目皿載置部１３の隙間のうち、リブ１４が設けられていない前側の隙間から排水口１６へと流出することになる。
【００１９】
それにより、吐水部６から吐水された洗浄水の多くは、目皿１０の上面を通過することとなり、目皿１０の上面全体を洗浄することができる。したがって、目皿１０上面において不洗浄部が生じにくくなる。
【００２０】
なお、本実施形態において、洗浄水流出抑制手段としてリブ１４を示したが、本発明はこれに限定されず、洗浄水の流出を抑制するものであればよい。例えば、目皿と目皿載置部を接着させる面ファスナー等でも良い。
【符号の説明】
【００２１】
１    小便器
２    背面部
３    ボウル部
４    給水管
５    側面部
６    吐水部
８    底面部
１０  目皿
１２  前面部
１３  目皿載置部
１４  リブ
１６  排水口
１８  トラップ流路
２０  目皿上面部
２２  着脱操作部
２４  貫通孔
２６  袴部
【図１】
0005904451.tif 000002
【図２】
0005904451.tif 000003
【図３】
0005904451.tif 000004
【図４】
0005904451.tif 000005
【図５】
0005904451.tif 000006
【図６】
0005904451.tif 000007